(57)【特許請求の範囲】
【請求項１】
着用者の肌に当接する内面と前記内面の反対側に位置する外面とを有し、前記内面には排泄された便を受容可能な凹状の便貯留部を備え、前記貯留部の周辺域を着用者の肛門を中心とする臀部所要域に当接して着用することができる便処理用の使い捨て着用物品において、
前記内面の少なくとも一部分が前記着用物品の幅方向中央部に位置する疎水性第１シートと、前記着用物品の周縁部に位置する透液性第２シートとからなる表面層によって形成され、前記第１シートが、少なくとも前記貯留部近傍の前記保持層上面を被覆しており、
前記外面が不透液性シートからなる裏面層によって形成され、
厚さ５〜１００ｍｍの便保持層が、前記表面層の下面に当接して前記表裏面層間に介在しており、
面積２０〜３００００ｍｍ２の開口が、前記表面層に形成されており、
前記保持層が、前記内外面間に延びる厚さ方向と前記厚さ方向と交差する面方向とに通気・通水性を有し、前記厚さ方向に弾性的に圧縮可能な三次元ネットワーク構造を有しており、
少なくとも１つの前記便貯留部が、前記開口の直下に位置して前記開口から前記保持層へと延びており、少なくとも２．５ｍｍの深さを有することを特徴とする前記着用物品。
【請求項２】
前記貯留部の内周面に前記保持層の三次元ネットワーク構造が露出している請求項１記載の着用物品。
【請求項３】
前記貯留部の深さが前記保持層の厚さの１／２以上にまで達している請求項１または２記載の着用物品。
【請求項４】
前記貯留部が複数形成され、そのうちの少なくとも一部のものは前記保持層を貫通している請求項１〜３のいずれかに記載の着用物品。
【請求項５】
前記保持層の前記厚さ方向における弾性圧縮回復率が、少なくとも５０％である請求項１〜４のいずれかに記載の着用物品。
【請求項６】
前記保持層が、１００〜１５００ｇ／ｍ２の坪量を有し、繊度６〜１００ｄの熱可塑性合成繊維を含み、前記繊維が互いの溶着および機械的交絡の少なくともいずれか一方によって一体となることによって前記三次元ネットワーク構造を形成している弾性体であって、荷重２ｇ／ｃｍ２を加えたときの厚さＴ1に対して荷重３５ｇ／ｃｍ２を加えたときの厚さＴ２が厚さＴ１の４０〜８０％となるような圧縮率を有している請求項１〜５のいずれかに記載の着用物品。
【請求項７】
前記保持層の熱可塑性合成繊維が親水性のものである請求項６記載の着用物品。
【請求項８】
前記保持層が１００重量部の熱可塑性合成繊維と、１〜１００重量部の非熱溶融性かつ親水性の繊維とからなる請求項１〜７のいずれかに記載の着用物品。
【請求項９】
前記保持層には、前記貯留部内周面に開口を有し、前記内周面から前記表面層に平行して側方へ延びる断面積が少なくとも１ｍｍ２のチャネルが形成されている請求項１〜８のいずれかに記載の着用物品。
【請求項１０】
前記保持層と前記裏面層との間に吸水性材料を含む吸収層が介在している請求項１〜９のいずれかに記載の着用物品。
【請求項１１】
前記吸収層が２０〜６００ｇ／ｍ２の坪量を有し、少なくとも８ｇ／ｇの生理食塩水吸収能力を有している請求項１０記載の着用物品。
【請求項１２】
前記吸収層が前記保持層を貫通している前記貯留部の内側にのぞいている請求項１０または１１に記載の着用物品。
【請求項１３】
前記吸収層が２０〜６００ｇ／ｍ２の坪量を有し、前記坪量の４０〜１００重量％が吸水性繊維で占められている請求項１０〜１２のいずれかに記載の着用物品。
【請求項１４】
前記保持層および吸収層の少なくとも一方の熱可塑性合成繊維は、５０重量％以上が１０〜７０ｄの繊度のものである請求項６〜１３のいずれかに記載の着用物品。
【請求項１５】
前記吸収層が０．１〜２０ｍｍの厚さを有している請求項１０〜１４のいずれかに記載の着用物品。
【請求項１６】
前記吸収層の０〜７０重量％が高吸水性樹脂で占められている請求項１０〜１５のいずれかに記載の着用物品。
【請求項１７】
便が通過可能な開口を有する表面シートと、便保持層と、水分吸収層と、裏面シートとが順次積層されてなり、便貯留部を有する便処理用の使い捨て着用物品において、
前記表面シートが、前記着用物品の幅方向中央部に位置する疎水性第１シートと、前記着用物品の周縁部に位置する透液性第２シートとからなり、
前記裏面シートが不透液性であり、
前記表面シートに面積２０〜３００００ｍｍ２を有する開口が少なくとも１つ形成されており、
前記保持層は、厚さ５〜１００ｍｍの弾性体であって厚さ方向と該方向と交差する面方向とに通気・通水性を有し、厚さ方向の弾性圧縮回復率が少なくとも５０％であり、
前記便貯留部が、前記開口とほぼ同じ開口面積と少なくとも２．５ｍｍの深さとを有し、前記開口の直下に位置して前記開口から前記保持層へと延びており、
前記第１シートが、少なくとも前記貯留部近傍の前記保持層上面を被覆していることを特徴とする前記着用物品。
【発明の詳細な説明】
【０００１】
【発明の属する技術分野】
この発明は、便、特に軟便を処理するのに好適な使い捨て着用物品に関する。
【０００２】
【従来の技術】
乳幼児が排泄する便は軟便が多く、その軟便を処理するのに好適な使い捨ておむつや吸収性物品が従来いくつか提案されている。例えば、特開昭６２−１２５００１号公報に開示の使い捨ておむつでは、表面シートが孔径２〜８ｍｍの多数の開孔を有し、表面シートと吸収体との間には繊度６〜１２ｄの合成繊維からなる厚さ４〜１００ｍｍ，密度０．００５〜０．１８／ｃｍ３のクッション繊維層が介在している。軟便は、開孔を通ってクッション繊維層へ移行し、そこに保持されることでおむつ着用者の肌に触れることがなくなる。そのことによって、おむつ着用によるかぶれや不快感の原因の一つを取り除くことができる。
【０００３】
特開昭６２−２７６００２号公報に開示の使い捨ておむつの表面構造では、表面シートが開孔面積７〜５０ｍｍ２の多数の開孔を有し、それら開孔が６〜２０ｍｍの配列ピッチと、全体として１５〜７０％の開孔率を有している。表面シートの下面に位置する繊維集合層は、互いに熱融着した繊維からなるもので、２〜１０ｍｍの厚さと、２０〜８０ｇ／ｍ２の重量と、５０％以上の湿潤状態での弾性圧縮回復率とを有する。この公知技術もまた前記公知技術と同様な効果を奏する。
【０００４】
また、特開平９−２９９４０２号公報に開示の吸収性物品は、液透過性表面層と、液不透過性裏面層と、これら両層間に介在する吸液コアと、表面層とコアとの間に介在する液ろ過層とを有するもので、表面層には畝部と溝部とが交互に形成され、溝部には多数の開孔部と開孔部の周縁から裏面シートへ向かって起立するリブとが形成されている。ろ過層は、３０ｇ／ｃｍ２加圧時の厚さが１．０ｍｍ以上であり、繊維間平均距離が１５０μｍ以上である。かかる吸収性物品の奏する効果は、前記二つの公知技術と同様である。
【０００５】
【発明が解決しようとする課題】
前記公知のおむつおよび吸収性物品では、表面シートの開孔を下から塞ぐようにクッション繊維層や液ろ過層が表面シートの下面に密着している。軟便が繊維層やろ過層へ移行できるのは、これらの層が開孔の内側にのぞいている部分に限られるから、開孔の面積が小さいときには、軟便の移行が可能ではあるにしても、速やかというわけにはいかない。また、開孔の面積を大きくして軟便の移行を速やかにしようとすると、開孔の内側にのぞく繊維層やろ過層の繊維がおむつ着用者の肌を刺激する。これらの層には繊度の高い繊維を使用することが多く、かような繊維による刺激は強いから、開孔の面積を大きくするにも限度がある。
【０００６】
そこで、この発明では、便、特に軟便を表面シートの下方へ速やかに移行させることができる着用感のよい使い捨て着用物品の提供を課題にしている。
【０００７】
【課題を解決するための手段】
前記課題を解決するためのこの発明は、第１発明と第２発明とによって構成される。前記第１発明が前提とするのは、着用者の肌に当接する内面と、前記内面の反対側に位置する外面とを有し、前記内面には排泄された便を受容可能な凹状の便貯留部を備え、前記貯留部の周辺域を着用者の肛門を中心とする臀部所要域に当接して着用することができる便処理用の使い捨て着用物品である。
【０００８】
かかる前提において、前記第１発明が特徴とするところは、前記内面の少なくとも一部分が前記着用物品の幅方向中央部に位置する疎水性第１シートと、前記着用物品の周縁部に位置する透液性第２シートとからなる表面層によって形成され、前記第１シートが、少なくとも前記貯留部近傍の前記保持層上面を被覆しており、前記外面が不透液性シートからなる裏面層によって形成され、厚さ５〜１００ｍｍの便保持層が、前記表面層の下面に当接して前記表裏面層間に介在しており、面積２０〜３００００ｍｍ２の開口が、前記表面層に形成されており、前記保持層が、前記内外面間に延びる厚さ方向と前記厚さ方向と交差する面方向とに通気・通水性を有し、前記厚さ方向に弾性的に圧縮可能な三次元ネットワーク構造を有しており、少なくとも１つの前記便貯留部が、前記開口の直下に位置して前記開口から前記保持層へと延びており、少なくとも２．５ｍｍの深さを有するものであること、にある。
【０００９】
この発明には、以下のような実施態様がある。
（１）前記着用物品の内面の少なくとも一部分が疎水性シートからなる表面層によって形成され、前記表面層が前記保持層上面を少なくとも前記貯留部近傍で被覆し、前記貯留部が前記表面層に形成された前記開口から前記保持層へと延びており、前記着用物品の外面が不透液性シートからなる裏面層によって形成されている。
（２）前記表面層が、前記着用物品の幅方向中央部に位置する疎水性第１シートと、前記着用物品の周縁部に位置する透液性第２シートとからなり、前記第１シートが、少なくとも前記貯留部近傍の前記保持層上面を被覆しており、前記裏面層が不透液性シートからなる。
（３）前記貯留部の深さが前記保持層の厚さの１／２以上にまで達している。
（４）前記貯留部が複数形成され、そのうちの少なくとも一部のものは前記保持層を貫通している。
（５）前記保持層の前記厚さ方向における弾性圧縮回復率が、少なくとも５０％である。
（６）前記保持層が、１００〜１５００ｇ／ｍ２の坪量を有し、繊度６〜１００ｄの熱可塑性合成繊維を含み、前記繊維が互いの溶着および機械的交絡の少なくともいずれか一方によって一体となることによって前記三次元ネットワーク構造を形成している弾性体であって、荷重２ｇ／ｃｍ２を加えたときの厚さＴ１に対して荷重３５ｇ／ｃｍ２を加えたときの厚さＴ２が厚さＴ１の４０〜８０％となるような圧縮率を有している。
（７）前記保持層の熱可塑性合成繊維が親水性のものである。
（８）前記保持層が１００重量部の熱可塑性合成繊維と、１〜１００重量部の非熱溶融性かつ親水性の繊維とからなる。
（９）前記保持層には、前記貯留部内周面に開口を有し、前記内周面から前記表面層に平行して側方へ延びる断面積が少なくとも１ｍｍ２のチャネルが形成されている。
（１０）前記保持層と前記裏面層との間に吸水性材料を含む吸収層が介在している。
（１１）前記吸収層が２０〜６００ｇ／ｍ２の坪量を有し、少なくとも８ｇ／ｇの生理食塩水吸収能力を有している。
（１２）前記吸収層が前記保持層を貫通している前記貯留部の内側にのぞいている。
（１３）前記吸収層が２０〜６００ｇ／ｍ２の坪量を有し、前記坪量の２０〜１００重量％が６〜１００ｄの繊度を有する親水性の熱可塑性合成繊維で占められている。
（１４）前記保持層および吸収層の少なくとも一方の熱可塑性合成繊維は、５０重量％以上が１０〜７０ｄの繊度のものである。
（１５）前記吸収層が０．１〜２０ｍｍの厚さを有している。
（１６）前記吸収層の０〜７０重量％が高吸水性樹脂で占められている。
【００１０】
この発明のうちの前記第２発明が前提とするのは、便が通過可能な開口を有する表面シートと、便保持層と、水分吸収層と、裏面シートとが順次積層されてなり、便貯留部を有する便処理用の使い捨て着用物品である。
【００１１】
かかる前提において、前記第２発明が特徴とするところは、前記表面シートが、前記着用物品の幅方向中央部に位置する疎水性第１シートと、前記着用物品の周縁部に位置する透液性第２シートとからなり、前記裏面シートが不透液性であり、前記表面シートに面積２０〜３００００ｍｍ２を有する開口が少なくとも１つ形成されており、前記保持層は、厚さ５〜１００ｍｍの弾性体であって厚さ方向と該方向と交差する面方向とに通気・通水性を有し、厚さ方向の弾性圧縮回復率が少なくとも５０％であり、前記便貯留部が、前記開口とほぼ同じ開口面積と少なくとも２．５ｍｍの深さとを有し、前記開口の直下に位置して前記開口から前記保持層へと延びており、前記第１シートが、少なくとも前記貯留部近傍の前記保持層上面を被覆していること、にある。
【００１２】
【発明の実施の形態】
この発明に係る便処理用の使い捨て着用物品として使い捨ておむつを例にとり、発明の詳細を説明すると、以下のとおりである。
【００１３】
図１に部分破断平面図で示された使い捨ておむつ１は、表面シート２と、不透液性裏面シート３と、これら両シート２，３間に介在し表面シート２の下面に当接している便保持層６と、保持層６の下面に当接している水分吸収層７とを有し、表面シート２は、おむつ１の幅方向中央部に位置する疎水性第１シート２Ａと、おむつ１の周縁部に位置する透液性第２シート２Ｂとからなる。保持層６と吸収層７とは、実質的に同形同大であって、砂時計型を呈している。表裏面シート２，３は、これら保持層６と吸収層７の周縁から延出して重なり合い、その重なり合う部分がホットメルト接着剤（図示せず）を介して接合している。おむつ１は、前後方向に前胴周り域１１と、後胴周り域１２と、これら両域１１，１２間に位置する股下域１３とを有し、股下域１３の両側縁１４はおむつ１の内方へ向かって湾曲している。股下域１３では両側縁１４に沿って脚周り弾性部材１６が延び、後胴周り域では端縁１７に沿って胴周り弾性部材１８が延びている。これら弾性部材１６，１８は、表裏面シート２，３の間にあって、これらシート２，３の少なくとも一方の内面に伸長状態で接合している。後胴周り域１２の両側縁１９からはテープファスナ２１が側方へ延びている。
【００１４】
おむつ１の内面には、複数の便貯留部２２が形成されている。貯留部２２は、特に軟便を収容することに適しており、その平面形状には、図示されているように、長円形のもの２２Ａ，円形のもの２２Ｂ，矩形のもの２２Ｃ等があり、その形状に特別の規定はない。ただし、肛門近傍に当接する部位には、特に開口面積の大きな貯留部２２Ｂを形成することが好ましい。
【００１５】
図２は、図１のＩＩ−ＩＩ線による切断面を示す図面である。表面シート２のうちの第１シート２Ａと第２シート２Ｂとは互いに重なり合い接着または溶着によって接合している。かかる表面シート２と、表面シート２の下面に当接する保持層６と、保持層６の下面に当接する吸収層７と、吸収層７の下面に当接する裏面シート３とは、互いに当接する部位が接着または溶着によって接合していることが好ましい。
【００１６】
貯留部２２は、表面シート２に形成された開口２６と、保持層６に形成された凹部２７とで構成されている。開口２６は、表面シート２のうちの第１シート２Ａが保持層６と重なる部位に形成されるもので、２０〜３００００ｍｍ２の開口面積を有する。凹部２７は、開口２６の直下に形成されており、開口面積は開口２６のそれとほぼ同じである。凹部２７は、少なくとも２．５ｍｍの深さ、より好ましくは保持層６の厚さの１／２以上にまで達する深さ、さらに好ましくは保持層６を貫通する深さを有する。図示例では、貯留部２２のうちの２２Ａの凹部２７が保持層６を貫通して吸収層７にまで達しており、貯留部２２のうちの２２Ｄの凹部２７が保持層６の厚さの約１／２ないしそれ以上の深さを有している。貯留部２２は、おむつ１の内面に少なくとも一つ形成されるのもので、それが一つである場合には、おむつ着用者の肛門を覆う部位に比較的開口面積の大きなものが形成される。例えば乳幼児用のおむつであれば、３０００〜７０００ｍｍ２の開口面積を有する開口２６と凹部２７とからなる貯留部２２を１つだけ形成してもよい。また、大人用のおむつであれば、２００００〜３００００ｍｍ２程度の開口面積を有する貯留部２２を１つだけ形成してもよい。貯留部２２が複数である場合には、主として肛門とその近傍とに形成される。保持層６の上面を被覆する第１シート２Ａは、その上面のうちで少なくとも貯留部２２の開口の近傍を覆うように形成される。
【００１７】
このようなおむつ１において、表面シート２の第１シート２Ａには好ましくは疎水性のシート、例えばポリエチレンやポリプロピレン等の熱可塑性合成樹脂フィルムや熱可塑性合成樹脂発泡シート、熱可塑性合成繊維の不織布等が使用される。第２シート２Ｂには、親水性または疎水性の不織布や開孔プラスチックフィルム等が使用される。これら表面シート２の厚さは、それがフィルムや不織布であれば０．０１〜０．３ｍｍ，発泡シートであれば０．２〜２ｍｍの範囲にあることが好ましい。
【００１８】
保持層６は、表裏面シート２，３間に延びる厚さ方向とこれに交差する面方向とに通気・通水性を有する三次元ネットワーク構造の弾性体であって、カードウェブの如き熱可塑性合成繊維の集合体、熱可塑性合成繊維からなる嵩高な不織布、連続気泡を有する発泡ウレタンシートの如き発泡シート等によって形成される。熱可塑性合成繊維は、捲縮したものであることが好ましい。保持層６は、２ｇ／ｃｍ２の荷重を５分間加えたときの厚さＴ１が５〜１００ｍｍとなるようなものであり、好ましくは、３５ｇ／ｃｍ２の荷重を５分間加えて圧縮したときの厚さＴ２が厚さＴ１の４０〜８０％となるような圧縮率を有している。また、保持層６は、３５ｇ／ｃｍ２の荷重を５分間加えた後にその荷重を取り除いて３０分間放置し、その後に２ｇ／ｃｍ２の荷重を５分間加えたときの厚さＴ３が厚さＴ１の５０％以上にまで弾性的に復帰するような圧縮回復率、即ち弾性圧縮回復率を有する。保持層６の凹部２７の周面３１や底面３２には、これら繊維集合体や発泡シートの三次元ネットワーク構造が露出している。なお、この発明において、厚さというときには、測定条件が示されている場合を除いて、２ｇ／ｃｍ２の荷重を５分間加えた後の厚さを意味する。
【００１９】
かかる保持層６を熱可塑性合成繊維の不織布で形成する場合には、繊度６〜１００ｄの繊維を坪量１００〜１５００ｇ／ｍ２の割合で使用し、より好ましくはその使用量のうちの５０％以上が繊度１０〜７０ｄのもので占められるようにし、繊維どうしを溶着および／または機械的交絡によって一体化して前記圧縮率と圧縮回復率とを付与し、繊維間に通気・通水性をもたらす多くの空隙を作ることが好ましい。保持層６には親水性繊維を使用することが好ましいが、疎水性繊維を使用することもできる。保持層６にはまた、１００重量部の熱可塑性合成繊維に１〜１００重量部の非熱溶融性の親水性繊維を加えることができる。かかる親水性繊維には、パルプ繊維やコットン繊維等の天然繊維、レーヨン繊維等の化学繊維、アクリル繊維等の合成繊維、ポリビニルアルコールや高吸水性樹脂からなる繊維等がある。
【００２０】
吸収層７は、吸水性繊維や高吸水性樹脂を含むもので、少なくとも生理食塩水を８ｇ／ｇの割合で吸収できることが好ましく、また、２０〜６００ｇ／ｍ２の坪量を有し、２ｇ／ｃｍ２の荷重を５分間加えたときの厚さｔ１が０．１〜２０ｍｍ，密度が０．０１〜０．１ｇ／ｃｍ３であることが好ましい。吸収層７は、３５ｇ／ｃｍ２の荷重を５分間加えて圧縮したときの厚さｔ２が厚さｔ１の４０％以上となるような圧縮率を有し、３５ｇ／ｃｍ２の荷重を５分間を加えたのちにその荷重を取り除いて３０分間放置し、その後に２ｇ／ｃｍ２の荷重を５分間加えたときの厚さｔ３が厚さｔ１の７０％以上にまで弾性的に復帰するような弾性圧縮回復率を有することが好ましい。
【００２１】
かかる吸収層７において、吸水性繊維には、パルプ繊維、レーヨン繊維等の化学繊維、繊維状の高吸水性樹脂等を使用することができ、これら繊維に親水性の熱可塑性合成繊維、親水化処理した疎水性の熱可塑性合成繊維等を混合することができる。吸水性繊維は、吸収層７の２０〜１００重量％を占めることが好ましい。熱可塑性合成繊維は、熱溶融性のものであって、繊度６〜１００ｄのものを使用することが好ましく、使用量のうちの５０重量％以上が繊度１０〜７０ｄのもので占められることがより好ましい。熱可塑性合成繊維は、吸収層７に通気・通水性の空隙を形成し、クッション性を付与することに役立つ。高吸水性樹脂には、繊維状のものの他に粒子状のものがあり、その使用量は吸収層７の０〜７０重量％の範囲内にあることが好ましい。吸収層７には必要なら２０重量％を上限に疎水性の熱可塑性合成繊維を混合して、吸収層７内の水分の拡散性を向上させることができる。
【００２２】
裏面シート３は、厚さ０．０１〜０．３ｍｍのポリエチレン等の熱可塑性合成樹脂フィルムからなるもので、かかるフィルムには、不透液性のものと通気不透液性のものとがある。
【００２３】
このように構成された使い捨ておむつ１では、排泄された便、特に軟便が表面シート２の開口２６を通り抜けて保持層６の凹部２７に進入し易い。保持層６は、三次元のネットワーク構造を有しているから、軟便は凹部２７の周面３１および底面３２から側方と下方とへ移行可能であり、保持層６に体圧がかかると特にその移行が促進される。凹部２７において側方へ移行した軟便は、表面シート２に覆われていて肌に接触することがない。かかる保持層６は、前記の圧縮率と圧縮回復率とを有していれば、体圧がかかっても極端に潰れてそのままになるということがなく、軟便が凹部２７の外へ逆流することを防ぐことができる。また、表面シート２が疎水性の不織布やフィルムからなるものであるときには、軟便が表面シート２に滲みにくく、また表面シート２の上に広がる前に貯留部２２に流れ落ちるので、おむつ１着用者の肌を広範囲にわたって軟便で汚すということがない。軟便は、その水分が保持層６や吸収層７の吸水性材料によって吸収され、保持層６には固形分だけが残る。そのようになった軟便は、最早流動することがないから、肌を広い範囲にわたって汚すということもない。表面シート２の開口２６の直下では、保持層６が凹部２７を形成しているから、保持層６を形成している繊度の高い繊維でも開口２６の外へ突出しておむつ１着用者の肌を刺激するということがない。
【００２４】
図３，４は、おむつ１等の便処理用着用物品に使用される保持層６と吸収層７との一例を示す斜視図とそのＩＶ−ＩＶ線断面図である。保持層６に形成された複数の凹部２７のうちのいくつかでは、その凹部２７からチャネル３６が延びている。例えば、凹部２７のうちの２７Ｂからは、凹部２７Ｃにまで達するチャネル３６Ｂが延びている。また、凹部２７Ａ，２７Ｄ，２７Ｅからは、チャネル３６Ａ，３６Ｄ，３６Ｅがそれぞれ放射状に延びている。チャネル３６は、少なくとも１ｍｍ２の断面積を有し、所要の方向へ、所要の長さだけ延びることができる。保持層６の凹部２７に流入した軟便は、三次元ネットワーク構造の空隙を利用して平面的に広がることができる他に、チャネル３６の内側を流れて保持層６の内部に広く行きわたる。このようにして保持層６の空間を隈なく利用すると、肌を汚すことがないようにおむつ１の内部に保持しておくことができる軟便の量が実質的に多くなる。
【００２５】
使い捨ておむつ１を例にして説明したこの発明は、おむつやおむつカバー、パンツ等の内側にセットして着用者の肛門とその近傍にあてがうようにして使用する便処理専用のパッドとして実施することもできる。また、保持層６または保持層６と吸収層７とを図示例のようにおむつ１の内面の全体ではなく、内面の一部分にだけ配置することもできる。この発明は、乳幼児用のおむつや便処理用パッドばかりでなく、成人用のそれらでも実施することができる。
【００２６】
【発明の効果】
この発明に係る便処理用の使い捨て着用物品は、表面シートに開口を形成し、表面シートの下面に当接する保持層には、その開口の直下に凹部を形成してここに軟便を流入させるようにしたから、軟便が表面シートの上に広がっておむつ着用者の肌を広範囲にわたって汚すということがない。かかる着用物品では、表面シートの開口から保持層の繊維が突出して物品着用者の肌を刺激するということがない。
【００２７】
保持層が凹部から側方へ延びるチャネルを有する態様の着用物品では、軟便が保持層内に広く行きわたることが可能で、肌を汚すことがないように保持できる軟便の量が多くなる。
【図面の簡単な説明】
【図１】使い捨ておむつの部分破断平面図。
【図２】図１のＩＩ−ＩＩ線切断面を示す図。
【図３】図１と異なる態様の保持層の斜視図。
【図４】図３のＩＶ−ＩＶ線切断面を示す図。
【符号の説明】
１  着用物品（おむつ）
２  表面層（表面シート）
２Ａ  第１シート
２Ｂ 第２シート
３  裏面層（裏面シート）
６  保持層
７  吸収層
２２，２２Ａ，２２Ｂ，２２Ｄ  貯留部
２６  開口
２７  凹部
３６，３６Ａ，３６Ｂ，３６Ｄ  チャネル
【図１】
0003541144.tif 000002
【図２】
0003541144.tif 000003
【図３】
0003541144.tif 000004
【図４】
0003541144.tif 000005